(57)【要約】【課題】被制御装置の電源投入状態如何に関わらず、リモコン装置を使用して各種制御操作を実行できるようにする。【解決手段】電源供給元となるコンセントと被制御装置が有する電源プラグとの間にリモコン装置との無線機能を有する交流電流測定装置を挿入することで、被制御装置の電源投入状態をリモコン装置で判断可能となし、リモコン操作により被制御装置の各種制御操作が行われた時点で、被制御装置に電源が投入されていない場合は、リモコン装置から被制御装置へ電源投入の制御信号を送出した後、リモコン装置から当初操作された各種制御に対応する信号を送出する。【選択図】図１
2008193466.tif 000002
【特許請求の範囲】
【請求項１】
被制御装置と、リモコン装置とが無線により接続され、前記リモコン装置から各種制御信号を送信し、前記被制御装置を制御するリモートコントロールシステムにおいて、
前記被制御装置の電力供給ケーブルに挿入される交流電流測定装置を有し、
前記リモコン装置は、閾値設定キーと、
前記各種制御操作に対応する各種制御キーと、
前記交流電流測定装置と通信するための無線通信機能と、
前記閾値設定キーが押下されたときに、前記交流電流測定装置に対して、閾値設定信号を送信する手段１と、
前記各種制御キーが押下された場合に、本来の各種制御信号を送信する前に、前記交流電流測定装置に対して、前記被制御装置の現在の電流値を報告させる電流値問い合わせ信号を送信する手段２と、
前記電流値問い合わせ信号に対する回答として、前記交流電流測定装置から電源オン信号を受信したときに、前記被制御装置に対して、本来の各種制御信号を送信する手段３と、
前記電流値問い合わせ信号に対する回答として、前記交流電流測定装置から電源オフ信号を受信したときに、前記被制御装置に対して電源投入指令を送信した後、規定間隔で、前記交流電流測定装置に対して、前記電流値問い合わせ信号を送信する手段４とを有し、
前記交流電流測定装置は、記憶装置と、
前記リモコン装置と通信するための無線通信機能と、
前記リモコン装置から送信された閾値設定信号に基づき、前記被制御装置が停止あるいは待機状態にあるときの電流値を測定し、当該測定した電流値に所定の定数を掛けて閾値電流値「Ａ」を求め、前記記憶手段に記憶する手段１と、
前記リモコン装置から送信された電流値問い合わせ信号に基づき、前記被制御装置の現在の電流値「Ｃ」を測定する手段２と、
前記手段２で測定した前記電流値「Ｃ」と前記記憶手段に記憶した前記閾値電流値「Ａ」とを比較して、前記電流値「Ｃ」が前記閾値電流値「Ａ」と等しいか、それ以上である場合は、前記電源オン信号を前記リモコン装置に対して送信し、また、前記電流値「Ｃ」が前記閾値電流値「Ａ」未満の場合は、前記電源オフ信号を前記リモコン装置に対して送信する手段３とを有することを特徴とするリモートコントロールシステム。
【発明の詳細な説明】
【技術分野】
【０００１】
本発明は、リモートコントロールシステムに係り、特に、被制御装置の電力供給ケーブルに流れる電流値を測定することにより、リモコン装置側において、被制御装置の電源投入状態を把握し、各種制御信号を送信する前に被制御装置に電源投入信号を送信することにより、被制御装置がリモコン装置から送信される各種制信号を受信して確実に動作するようにしたリモートコントロールシステムに関する。
【背景技術】
【０００２】
従来、被制御装置とリモコン装置が無線により接続され、リモコン装置から各種制御信号を送信し、被制御装置を制御するリモートコントロールシステムにおいて、従来、被制御装置をリモコン装置から送信される各種制御信号を受信して確実に動作させるために、被制御装置側で電源が投入されていない場合には、被制御装置が各種制御信号に応じて動作する前に電源を投入する機能を持つ方法が知られている。
【発明の開示】
【発明が解決しようとする課題】
【０００３】
前述した方法によれば、予め、被制御装置が前述した機能を持つ必要があるため、前述した機能を持っていない被制御装置では、電源が投入されていない時には各種制御信号に従い動作することができないという問題があった。
本発明は、前記従来技術の問題点を解決するためになされたものであり、本発明の目的は、リモートコントロールシステムにおいて、被制御装置の電源投入状態如何に関わらず、リモコン装置を使用して被制御装置の各種制御操作を実行することが可能となる技術を提供することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
前述の目的を達成するために、本発明は、被制御装置と、リモコン装置とが無線により接続され、前記リモコン装置から各種制御信号を送信し、前記被制御装置を制御するリモートコントロールシステムにおいて、前記被制御装置の電力供給ケーブルに挿入される交流電流測定装置を有し、前記リモコン装置は、閾値設定キーと、前記各種制御操作に対応する各種制御キーと、前記交流電流測定装置と通信するための無線通信機能と、前記閾値設定キーが押下されたときに、前記交流電流測定装置に対して、閾値設定信号を送信する手段１と、前記各種制御キーが押下された場合に、本来の各種制御信号を送信する前に、前記交流電流測定装置に対して、前記被制御装置の現在の電流値を報告させる電流値問い合わせ信号を送信する手段２と、前記電流値問い合わせ信号に対する回答として、前記交流電流測定装置から電源オン信号を受信したときに、前記被制御装置に対して、本来の各種制御信号を送信する手段３と、前記電流値問い合わせ信号に対する回答として、前記交流電流測定装置から電源オフ信号を受信したときに、前記被制御装置に対して電源投入指令を送信した後、規定間隔で、前記交流電流測定装置に対して、前記電流値問い合わせ信号を送信する手段４とを有し、前記交流電流測定装置は、記憶装置と、前記リモコン装置と通信するための無線通信機能と、前記リモコン装置から送信された閾値設定信号に基づき、前記被制御装置が停止あるいは待機状態にあるときの電流値を測定し、当該測定した電流値に所定の定数を掛けて閾値電流値「Ａ」を求め、前記記憶手段に記憶する手段１と、前記リモコン装置から送信された電流値問い合わせ信号に基づき、前記被制御装置の現在の電流値「Ｃ」を測定する手段２と、前記手段２で測定した前記電流値「Ｃ」と前記記憶手段に記憶した前記閾値電流値「Ａ」とを比較して、前記電流値「Ｃ」が前記閾値電流値「Ａ」と等しいか、それ以上である場合は、前記電源オン信号を前記リモコン装置に対して送信し、また、前記電流値「Ｃ」が前記閾値電流値「Ａ」未満の場合は、前記電源オフ信号を前記リモコン装置に対して送信する手段３とを有することを特徴とする。
【発明の効果】
【０００５】
本願において開示される発明のうち代表的なものによって得られる効果を簡単に説明すれば、下記の通りである。
本発明のリモートコントロールシステムによれば、被制御装置の電源投入状態如何に関わらず、リモコン装置を使用して被制御装置の各種制御操作を実行することが可能となる。
【発明を実施するための最良の形態】
【０００６】
以下、図面を参照して本発明の実施例を詳細に説明する。
なお、実施例を説明するための全図において、同一機能を有するものは同一符号を付け、その繰り返しの説明は省略する。
図１は、本発明の実施例のリモートコントロールシステムの概略構成を示すブロック図である。
同図において、１００は電力供給コンセント、１０１は無線機能を有する交流電流測定装置、１０２は被制御装置の電源プラグ、１０３は被制御装置、１０４はリモコン装置である。
図２は、図１に示す交流電流測定装置１０１の概略構成を示すブロック図である。同図において、２００は交流電流測定装置本体、２０１は被制御装置へ電源を供給するコンセント、２０２は電源プラグ、２０３はトランス式電流プローブ、２０４は整流器、２０５はアナログ−デジタルコンバータ、２０６はプログラム等が記憶される記憶装置、２０７はＣＰＵ装置、２０８は復調装置、２０９は受信装置、２１０は変調装置、２１１は送信装置である。
【０００７】
図３は、図１に示すリモコン装置１０４の概略構成を示すブロック図である。同図において、３００はリモコン装置本体、３０１はプログラム等が記憶される記憶装置、３０２はＣＰＵ装置、３０３は復調装置、３０４は受信装置、３０５は変調装置、３０６は送信装置、３０７はキーボード、３０８は閾値設定キーを示す。
本実施例では、図１に示すように、無線機能を有する交流電流測定装置１０１を、被制御装置１０３の電源プラグ１０２と、電力供給コンセント１００の間に挿入する。
挿入する方法は、図２に示す交流電流測定装置１０１の電源プラグ２０２を電力供給コンセント１００に差込み、被制御装置１０３の電源プラグ１０２を無線機能を有する交流電流測定装置１０１のコンセント２０１へ差し込む。
図４は、本実施例のリモコン装置１０４と、交流電流測定装置１０１との間で用いられる通信信号フォーマットを示す図である。
図４において、４００は通信の開始を意味するヘッダ、４０１はデータ、４０２は通信の終了を意味するフッダである。
【０００８】
図５（ａ）、図５（ｂ）、図５（ｃ）は、本実施例の交流電流測定装置１０１の処理手順を示すフローチャートであり、図６は、本実施例のリモコン装置１０４の処理手順を示すフローチャートである。
次に、本実施例のリモコン装置１０４と、交流電流測定装置１０１による被制御装置１０３の電源操作プロセスについて具体的に説明する。
初めに、閾値電流値「Ａ」の記憶操作について説明する。
閾値電流値「Ａ」を記憶するにあたり、本発明の利用者は被制御装置１０３の電源が入っていないことを確認した上で、図３に示すリモコン装置１０４の閾値設定キー３０８を押下する。
リモコン装置１０４のＣＰＵ装置３０２は、キー入力があったか否かを判断し（ステップ６０１）、ステップ６０１において、キー操作が行われたことを検知したときには、利用者により押されたキーが閾値設定キー３０８であるか否かを判断する（ステップ６０２）。
ステップ６０２において、利用者により押されたキーが閾値設定キー３０８である場合には、閾値設定信号を、図３に示す変調装置３０５で変調し、送信装置３０６より交流電流測定装置１０１に送出し（ステップ６０３）、その後、ステップ６０１に戻る。
閾値設定信号は、図４に示す信号フォーマットに従い、ヘッダ４００、データ４０１、フッダ４０２の順に、交流電流測定装置１０１へ送信される。
【０００９】
交流電流測定装置１０１は、図２に示す受信装置２０９で、リモコン装置１０４から送信された信号を検出し、復調装置２０８により、ＣＰＵ装置２０７が記憶装置２０６に格納されたプログラムに従い処理できる電気信号に変換する。
ＣＰＵ装置２０７は、先ず、ヘッダ４００を受信したか否かを判断し（ステップ５０１）、ステップ５０１において、受信したデータがヘッダ４００を意味する場合は、継続するデータ４０１を追加記録する（ステップ５０２）。
次に、フッダ４０２を受信したか否かを判断し（ステップ５０３）、ステップ５０３において、追加記録されたデータがフッダ４０２を意味する場合、追加記録された信号が閾値設定信号か否かを判定する（ステップ５０４）。
ステップ５０４において、追加記録された信号が閾値設定信号である場合、電流値を計測し（ステップ５０６）、当該測定した電流値に定数を掛けて閾値電流値「Ａ」を求め（ステップ５０７）、閾値電流値「Ａ」を記憶装置２０６に記憶し（ステップ５０８）、その後、ステップ５０１に戻る。
なお、ステップ５０６、ステップ５０７の具体的な処理の一例としては、ステップ５０６で測定した電流値が「Ｂ」であったとすると、この電流値「Ｂ」に定数（例えば、１．０５）を掛けて閾値電流値「Ａ」（＝１．０５×Ｂ）を求める。
【００１０】
次に、被制御装置１０３の制御操作に分けて説明する。
リモコン装置１０４で被制御装置１０３の制御操作を行うにあたり、本発明の利用者は図３のリモコン装置１０４にあるキーボード３０７を押す。
リモコン装置１０４のＣＰＵ装置３０２は、キー入力があったか否かを判断し（ステップ６０１）、ステップ６０１において、キー操作が行われたことを検知したときには、利用者により押されたキーが閾値設定キー３０８であるか否かを判断する（ステップ６０２）。
ステップ６０２において、利用者により押されたキーが閾値設定キー３０８でない場合には、電流値問い合わせ信号を、図３に示す変調装置３０５で変調し、送信装置３０６より交流電流測定装置１０１へ送信する（ステップ６０４）。
その後、リモコン装置１０４のＣＰＵ装置３０２は、交流電流測定装置１０１から「電源オン信号」、「電源オフ信号」のいずれかの信号を受信するまで待機する。
電流値問い合わせ信号は、図４に示す信号フォーマットに従い、ヘッダ４００、データ４０１、フッダ４０２の順に、交流電流測定装置１０１へ送信される。
【００１１】
無線機能を有する交流電流測定装置１０１は、図２に示す受信装置２０９で信号を検出し、復調装置２０８でＣＰＵ装置２０７が記憶装置２０６に格納されたプログラムに従い処理できる電気信号に変換する。
ＣＰＵ装置２０７は、先ず、ヘッダ４００を受信したか否かを判断し（ステップ５０１）、ステップ５０１において、受信したデータがヘッダ４００を意味する場合は、継続するデータ４０１を追加記録する（ステップ５０２）。
次に、フッダ４０２を受信したか否かを判断し（ステップ５０３）、ステップ５０３において、追加記録されたデータがフッダ４０２を意味する場合、追加記録された信号が閾値設定信号か否かを判定する（ステップ５０４）。
ステップ５０４において、追加記録された信号が閾値設定信号でない場合、追加記録された信号が電流値問い合わせ信号か否かを判定し（ステップ５０５）、ステップ５０５において、追加記録された信号が電流値問い合わせ信号でない場合には、ステップ５０１に戻る。
【００１２】
ステップ５０５において、追加記録された信号が電流値問い合わせ信号である場合には電流値「Ｃ」を測定し（ステップ５０９）、次に、ステップ５０８で記憶装置２０６に記憶した閾値電流値「Ａ］を読み取る（ステップ５１０）。
次に、ステップ５０９で測定された電流値「Ｃ」と、ステップ５１０で読み取った閾値電流値「Ａ」とを比較し（ステップ５１１）、電流値「Ｃ」が閾値電流値「Ａ」と等しいか、それ以上である場合（Ｃ≧Ａ）の場合は、電源オン信号をリモコン装置１０４へ送出する（ステップ５１２）。
また、電流値「Ｃ」が閾値電流値「Ａ」未満の場合（Ｃ＜Ａ）、電源オフ信号をリモコン装置１０４へ送出する（ステップ５１３）。
ステップ５１２、あるいはステップ５１３の処理が終了した後はステップ５０１に戻る。
なお、電源オン信号、電源オフ信号のいずれかの信号を送出するにあたり、無線機能を有する交流電流測定装置１０１は、図２に示す変調装置２１０において信号を変調し、送信装置２１１より信号を送出する。
【００１３】
リモコン装置１０４は、図３に示す受信装置３０４で受信した信号を復調装置３０３でＣＰＵ装置３０２が処理できる電気信号に変換する。
リモコン装置１０４のＣＰＵ装置３０２は、無線機能を有する交流電流測定装置１０１から送出された電源オン信号、電源オフ信号のいずれかの信号を受信するまで待機しており、リモコン装置１０４からの信号を受信すると、ヘッダ４００を受信したか否かを判断する（ステップ６０５）。
ステップ６０５において、受信したデータがヘッダ４００を意味する場合は、継続するデータ４０１を追加記録する（ステップ６０６）。
次に、フッダ４０２を受信したか否かを判断し（ステップ６０７）、ステップ６０７において、追加記録されたデータがフッダ４０２を意味する場合、追加記録された信号が電源オン信号か、電源オフ信号かを判定する（ステップ６０８）。
ステップ６０８での判定結果が電源オフ信号の場合は、被制御装置１０３へ、電源オン信号を送出し（ステップ６０９）、その後ステップ６０４に戻り、規定間隔で、電流値問い合わせ信号を、交流電流測定装置１０１へ送信し、交流電流測定装置１０１からの電源オン信号の到着を待つ。
【００１４】
ステップ６０８での判定結果が電源オン信号の場合は、図３に示すキーボード３０７により押下されたキーに対応する、本来の制御信号を被制御装置１０３へ送信し（ステップ６１０）、ステップ６０１に戻る。
以上説明したように、本実施例によれば、リモコン装置１０４から、被制御装置１０３に各種制御信号を送信する際に、被制御装置１０３に電源が投入されていない場合は、リモコン装置１０４は、被制御装置１０３に電源オン信号を送信するようにしたので、被制御装置１０３の電源投入状態如何に関わらず、各種制御操作を実行することが可能となる。
したがって、被制御装置側で電源が投入されていない場合に各種制御信号に応じて動作する前に電源投入をする機能を持たない被制御装置１０３でも、各種制御信号を受信した時点で電源が投入されていない場合に先に電源投入することが可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１５】
【図１】本発明の実施例のリモートコントロールシステムの概略構成を示すブロック図である。
【図２】図１に示す交流電流測定装置の概略構成を示すブロック図である。
【図３】図１に示すリモコン装置の概略構成を示すブロック図である。
【図４】本発明の実施例のリモコン装置と、交流電流測定装置との間で用いられる通信信号フォーマットを示す図である。
【図５（ａ）】本発明の実施例の交流電流測定装置の処理手順を示すフローチャートである。
【図５（ｂ）】本発明の実施例の交流電流測定装置の処理手順を示すフローチャートである。
【図５（ｃ）】本発明の実施例の交流電流測定装置の処理手順を示すフローチャートである。
【図６】本発明の実施例のリモコン装置の処理手順を示すフローチャートである。
【符号の説明】
【００１６】
１００  電力供給コンセント
１０１  無線機能を有する交流電流測定装置
１０２  電源プラグ
１０３  被制御装置
１０４  リモコン装置
２００  交流電流測定装置本体
２０１  コンセント
２０２  電源プラグ
２０３  トランス式電流プローブ
２０４  整流器
２０５  アナログ−デジタルコンバータ
２０６，３０１  記憶装置
２０７，３０２  ＣＰＵ装置
２０８，３０３  復調装置
２０９，３０４  受信装置
２１０，３０５  変調装置
２１１，３０６  送信装置
３００  リモコン装置本体
３０７  キーボード
３０８  閾値設定キー
４００  ヘッダ
４０１  データ
４０２  フッダ
【図１】
2008193466.tif 000003
【図２】
2008193466.tif 000004
【図３】
2008193466.tif 000005
【図４】
2008193466.tif 000006
【図５（ａ）】
2008193466.tif 000007
【図５（ｂ）】
2008193466.tif 000008
【図５（ｃ）】
2008193466.tif 000009
【図６】
2008193466.tif 000010